(57)【要約】【課題】  電界検出器とケーブルとの取付けを容易にし、また取付強度も向上させた電界検出器を提供する。【解決手段】  電界検出器１′は、本体２にケーブル挿通孔３を有し、本体２内部に電極部１０が配置され、更に取水口８を通じて本体２外部に連通する流路７が本体２に形成されている。本体２のケーブル挿通孔３にケーブル５０を挿通し、本体２外部にてケーブル５０の外被を部分的に剥がして、内部の心線５３を出現させ、所定の心線５３を引き出す。そして、本体２外部に導出された電極部１０からのリード線１１と引き出した心線５３とを電気的に接続し、接続箇所を防水テープ４２で覆い、更にこの付近を保護カバー４１で覆う。【選択図】      図５
2007285864.tif 000002
【特許請求の範囲】
【請求項１】
本体内部に電極部を設け、本体外部と電極部を連通する取水口を本体に形成し、本体にケーブルを取付けると共に電極部からのリード線をケーブルの心線に電気的に接続する電界検出器において、
前記本体に一端から他端に貫通するケーブル挿通孔を設け、このケーブル挿通孔にケーブルを挿通し、前記電極部からのリード線を本体外部に導出し、導出したリード線を本体外部でケーブルから引き出した所定の心線に接続したことを特徴とする請求項１記載の電界検出器。
【請求項２】
前記リード線と心線との接続箇所は、防水テープ等で覆い耐水性を持たせたことを特徴とする請求項１記載の電界検出器。
【請求項３】
前記電極部は、前記ケーブル挿通孔とは隔てて本体内部に設けられていることを特徴とする請求項１又は請求項２記載の電界検出器。
【請求項４】
前記ケーブルは、中心に設けられた抗張力体の周囲に心線が配置されたものであることを特徴とする請求項１、請求項２又は請求項３記載の電界検出器。
【請求項５】
前記本体内部にケーブル挿通孔とは隔てて電子回路部を設けたことを特徴とする請求項１、請求項２、請求項３又は請求項４記載の電界検出器。
【発明の詳細な説明】
【技術分野】
【０００１】
この発明は、水中（特に海中）に沈められて水中の微小電圧を測定するのに使用される電界検出器に関する。
【背景技術】
【０００２】
従来の電界検出器は一般に、本体内部に電極部を設け、本体外部と電極部を連通する取水口を本体に形成し、本体にケーブルを取付けると共に電極部からのリード線をケーブルの心線に電気的に接続してなるものである（例えば、特許文献１参照）。
設置に際しては、例えば図８に示すようにケーブル９０に一定間隔を置いて複数個の電界検出器８０を接続し、これを海中に垂らす。電界検出器８０の電極部は取水口から流入する海水と接触するので、２つの電界検出器８０の電極部から得られる電位差が測定・増幅され、その出力がケーブル９０を通じて海上や陸上まで送出される。
【０００３】
【特許文献１】特開２００１−２２８２５７号公報
【発明の開示】
【発明が解決しようとする課題】
【０００４】
従来、電界検出器８０とケーブル９０との接続は、電界検出器８０の両端にケーブル引留部を設けた上で、ケーブル９０を切断し、電界検出器内で、切断された心線のうち、所定の心線を電極部からのリード線に電気的に接続し、残りの心線同士を再接続し、ケーブルをケーブル引留部に取付けている。
【０００５】
参考例として、ケーブル９０の断面図を図９に示す。このケーブル９０は、内部に設けられた心線９１の周囲に金属線９２が配置され、全体が絶縁体（外被）９３で覆われたものである。このうち、金属線９２は切断後に前記ケーブル引留部に取付けられる。
【０００６】
しかしながら、このような接続形態では、ケーブル９０を一旦切断し、電極部からのリード線と接続する心線以外の心線は同線同士を再接続しなければならず、電界検出器８０をケーブル９０に取付ける作業が非常に面倒である。その結果、コストが掛かり、再接続後の信頼性にも問題が生じ易い。
【０００７】
また、ケーブル引留部にケーブルの金属線が取付けられているので、ケーブルに加わる引張力等の外力は金属線を通じてケーブル引留部で受け止められる。他方、この種の電界検出器では、一般に水と接する部分に金属を用いない。従って、電界検出器の筐体（本体）及びケーブル引留部は通常プラスチック材料からなるので、金属材料を用いた場合に比べて機械的強度が弱い。このため、外力がケーブル引留部に掛かる従来の接続形態では、強度的に不利である。
【０００８】
本発明は、そのような問題点に着目してなされたものであって、電界検出器とケーブルとの取付けを容易にし、また取付強度も向上させた電界検出器を提供することを目的としている。
【課題を解決するための手段】
【０００９】
前記課題を解決するために、この発明の電界検出器は、本体内部に電極部を設け、本体外部と電極部を連通する取水口を本体に形成し、本体にケーブルを取付けると共に電極部からのリード線をケーブルの心線に電気的に接続するものにおいて、前記本体に一端から他端に貫通するケーブル挿通孔を設け、このケーブル挿通孔にケーブルを挿通し、前記電極部からのリード線を本体外部に導出し、導出したリード線を本体外部でケーブルから引き出した所定の心線に接続したことを特徴とする。
【００１０】
この電界検出器では、本体のケーブル挿通孔にケーブルを挿通し、本体外部に導出された電極部からのリード線を、本体外部でケーブルから引き出した所定の心線に電気的に接続する。こうすることで、ケーブルを切断しなくても、本体外部にてケーブルの外被を部分的に剥がして内部の心線を出現させ、必要な心線のみを引き出してリード線と接続すればよく、心線は接続されたままであり、ケーブルを一旦切断する従来に比べて、電界検出器とケーブルの取付作業が大幅に簡素になり、それによりコスト削減と信頼性の向上を実現できる。
【００１１】
また、リード線と心線との接続箇所は、防水テープ等で覆い耐水性を持たせることとする。
【００１２】
一方、ケーブルは、複数本の心線と外被からなる通常のものを使用してもよいが、中心に設けられた抗張力体の周囲に心線を配置したものを使用するのが好ましい。この場合、ケーブルに作用する引張力等の外力は抗張力体で受け止められ、リード線と心線との接続部や本体には加わらず、機械的強度（特に引張強度）が高くなる。しかも、外力が本体に作用しないので、外力を考慮することなく本体の材料を選定することができる。
【００１３】
なお、本体内部には電極部を設ける他に、ケーブル挿通孔とは隔てて電子回路部を設けてもよい。
【発明の効果】
【００１４】
以上説明したように、この発明の電界検出器によれば、本体のケーブル挿通孔にケーブルを挿通し、本体外部に導出された電極部からのリード線を、本体外部でケーブルから引き出した所定の心線に電気的に接続すればよいので、ケーブルを切断しなくて済み、ケーブルを一旦切断する従来に比べて、電界検出器とケーブルの取付作業が大幅に簡素になり、それによりコスト削減と信頼性の向上を実現できる。
【００１５】
また、ケーブルとして、中心に設けられた抗張力体の周囲に心線を配置したものを使用することにより、ケーブルに作用する引張力等の外力が抗張力体で受け止められ、リード線と心線との接続部や本体には加わらないため、機械的強度（特に引張強度）が高くなる。更に、外力を考慮することなく本体の材料を選定することができる。
【発明を実施するための最良の形態】
【００１６】
以下、実施の形態により、この発明を更に詳細に説明する。
実施形態に係る電界検出器の平面図を図１に、その構造図を図２〔一方の端面図（ａ）、縦断面図（ｂ）、他方の端面図（ｃ）〕に示す。この電界検出器１は、円柱状の本体２を備え、この本体２の中心に一端から他端に貫通するケーブル挿通孔３が形成され、このケーブル挿通孔３とは隔てた本体２内部（ケーブル挿通孔３の周囲）に円柱形状の電極部収納部４及び電子回路部配置部５が設けられている。電極部収納部４と電子回路部配置部５は、中心のケーブル挿通孔３を挟んで対称に位置する。
【００１７】
ケーブル挿通孔３にはケーブル５０が挿通され、電極部収納部４には電極部１０が配置されている。電極部１０と電極部収納部４との間には例えばＯリングが介設されたり、或いは電極部１０が電極部収納部４に接着されたりすることで、電極部１０が電極部収納部４内に固定される。また、電極部１０からはリード線１１が延び、本体２外部に導出されている。電子回路部配置部５には電位差を測定・増幅する電子回路部２０が配置される。電子回路部２０からもリード線２１が本体２外部に導出される。但し、電子回路部２０は無くてもよく、この場合は、電子回路部配置部５は必要ない。
【００１８】
リード線１１（及び電子回路部２０を内蔵した場合はリード線２１）は、本体２外部にてケーブル５０の心線と接続されるが、これの詳細は後記のとおりである。リード線１１（及びリード線２１）と心線との接続箇所は、防水テープで覆われ、更にこの付近は保護カバー４０で覆われる。
【００１９】
本体２の一端面側（リード線１１，２１の導出側とは反対側）には、環状の流路７が形成され、流路７は、適当数（例えば等角度で４つ）開口する取水口８を通じて本体２外部に連通すると共に、電極部収納部４と部分的に連通する。従って、この電界検出器１を海中に投じると、海水が取水口８から流路７に流入し、電極部収納部４内の電極部１０と接触する。勿論、海水はリード線１１側には漏れないように水密になっている。
【００２０】
ケーブル５０は、例えばその断面図を図３に示すように、中心に絶縁体５２で被覆された抗張力体５１が配置され、その周囲に導体と絶縁体からなる心線５３が配置され、全体が絶縁体（外被）５４で覆われた構造である。抗張力体５１は、金属（鉄、ステンレス等）又は樹脂からなり、金属からなる場合は、図示のとおり絶縁体５２で被覆される。抗張力体５１は必須ではないが、ケーブル５０に加わる引張力等の外力を受け止めるためには設けた方が好ましい。
【００２１】
次に、電極部１０のリード線１１とケーブル５０の心線５３との接続形態について、図４及び図５を参照して説明する。図４は電界検出器１′の縦断面図を示す。ここに示す電界検出器１′は、図２に示す電界検出器１とは幾分異なるが、同じ要素には同一符号を付してある。この電界検出器１′では、本体２の中心にケーブル挿通孔３が形成され、本体２内部に設けられた電極部収納部４に電極部１０が配置されている。電極部１０は、電極１５と電極ホルダ１６からなり、電極ホルダ１６からはリード線１１が延出している。環状の流路７は取水口８を通じて本体２外部に連通している。各取水口８には、ゴミ・砂・泥等の侵入を防ぐためのフィルタ９が設けられている。
【００２２】
この電界検出器１′をケーブル５０に取付けるには、図５において、電界検出器１′のケーブル挿通孔３にケーブル５０を挿通し、電界検出器１′を所定箇所に位置決めした後、本体２外部のリード線１１側にてケーブル５０の絶縁体５４を部分的に剥がし、心線５３を出現させる。複数本の心線５３のうち、所定の心線５３だけを引き出し、この引き出した心線５３（導体）にリード線１１をハンダ付けや圧着等により電気的に接続する。電子回路部２０を設ける場合は、そのリード線２１も所定の心線５３に同様に接続する。その後、リード線１１と心線５３との接続箇所を防水テープ４２で覆い、更にこの付近をゴムブーツ等からなる保護カバー４１で覆う。
【００２３】
このリード線１１と心線５３の接続形態によれば、ケーブル５０を切断しなくても、本体２外部にてケーブル５０の絶縁体５４を部分的に剥がして内部の心線５３を出現させ、必要な心線５３のみを引き出してリード線１１と電気的に接続すればよいので、心線５３は接続されたままであり、ケーブルを一旦切断する従来に比べて、電界検出器１′とケーブル５０の取付作業が大幅に簡素になり、それによりコスト削減と信頼性の向上を実現できる。
【００２４】
また、ケーブル５０内の抗張力体５１が切断されることなくケーブル５０全体にわたって連続しているので、ケーブル５０に作用する引張力等の外力は抗張力体５１で受け止められ、リード線１１と心線５３との接続部や本体２には加わらず、機械的強度（特に引張強度）が高くなる。その上、外力が本体２に作用しないので、外力を考慮することなく本体２の材料を選定することができる。
【００２５】
なお、上記実施形態に示す電界検出器１，１′及びケーブル５０は一例であり、種々の変更が可能である。例えば、図４では電極部１０は電極１５と電極ホルダ１６からなるが、図６に示すように、ケース３０に電極収納部３１を設け、この電極収納部３１に電極１５を配置し、更に電極収納部３１とケース３０外部とを連通する開口にフィルタ３２を設けたものでもよい。この場合、電極部１０の製造がし易くなる。
【００２６】
或いは、図３に示すケーブル５０は絶縁体５２で被覆された抗張力体５１を有するものであるが、図７のように、抗張力体５１を設けないケーブル５０′を用いてもよい。
【図面の簡単な説明】
【００２７】
【図１】実施形態に係る電界検出器の平面図である。
【図２】図１の電界検出器の一方の端面図（ａ）、縦断面図（ｂ）、及び他方の端面図（ｃ）である。
【図３】同電界検出器が取付けられるケーブルの断面図である。
【図４】別実施形態に係る電界検出器の縦断面図である。
【図５】図４の電界検出器における電極部からのリード線とケーブルの心線との接続形態を示す斜視図である。
【図６】実施形態の電界検出器の内部に配置される電極部の別形態を示す図である。
【図７】実施形態の電界検出器が取付けられるケーブルの別形態を示す断面図である。
【図８】電界検出器をケーブルに取付けた一般的様態を示す部分省略図である。
【図９】従来例に係る電界検出器が取付けられるケーブルの断面図である。
【符号の説明】
【００２８】
１，１′        電界検出器
２              本体
３              ケーブル挿通孔
７              流路
８              取水口
１０            電極部
１１，２１      リード線
２０            電子回路部
４０，４１      保護カバー
４２            防水テープ
５０，５０′    ケーブル
５１            抗張力体
５２，５４      絶縁体
５３            心線
【図１】
2007285864.tif 000003
【図２】
2007285864.tif 000004
【図３】
2007285864.tif 000005
【図４】
2007285864.tif 000006
【図５】
2007285864.tif 000007
【図６】
2007285864.tif 000008
【図７】
2007285864.tif 000009
【図８】
2007285864.tif 000010
【図９】
2007285864.tif 000011